(57)【要約】【課題】保湿用のハンドクリーム等の販売促進を行うことが可能なＰＯＰ広告装置を提供すること。【解決手段】水分を測定すべき身体の一部が接触されるべき特定領域が定義された操作パネルを有する機体と、前記身体の一部が前記特定領域に接触しているとき、当該身体の一部の表面水分と相関のある電気量を計測する電気量計測部と、前記電気量計測部により計測された電気量に基づいて前記身体の一部の表面水分を判定する水分判定部と、前記水分判定部による判定結果に対応する情報を出力する情報出力部と、を備える。【選択図】  図１
2019012203.tif 000002
【特許請求の範囲】
【請求項１】
水分を測定すべき身体の一部が接触されるべき特定領域が定義された操作パネルを有する機体と、
前記身体の一部が前記特定領域に接触しているとき、当該身体の一部の表面水分と相関のある電気量を計測する電気量計測部と、
前記電気量計測部により計測された電気量に基づいて前記身体の一部の表面水分を判定する水分判定部と、
前記水分判定部による判定結果に対応する情報を出力する情報出力部と、を備えるＰＯＰ広告装置。
【請求項２】
前記操作パネルの前記特定領域表面には、接触されるべき身体の一部を模した接触ガイド図形が描かれている、請求項１に記載のＰＯＰ広告装置。
【請求項３】
前記電気量計測部は、前記接触ガイド図形の領域内に配置された電極板を介して、前記電気量を計測する、請求項２に記載のＰＯＰ広告装置。
【請求項４】
前記操作パネルの前記特定領域は誘電性材料のシートからなり、かつ前記電極板は前記シートの裏面側に配置されている、請求項３に記載のＰＯＰ広告装置。
【請求項５】
前記接触ガイド図形のサイズは、当該図形に接触されるべき身体の一部のサイズとほぼ同程度に設定されており、かつ前記電極板は前記接触ガイド図形のほぼ中央に位置すると共に、そのサイズは、前記接触ガイド図形のサイズよりも十分に小さく設定されている、請求項４に記載のＰＯＰ広告装置。
【請求項６】
電気量計測部は、当該身体の一部の表面水分と相関のある静電容量を計測するものである、請求項３〜５のいずれか１つに記載のＰＯＰ広告装置。
【請求項７】
前記静電容量は、前記電極板の対地静電容量である、請求項６に記載のＰＯＰ広告装置。
【請求項８】
前記電気量計測部は、計測電気量の時分割瞬時値が所定しきい値を上回る又は下回る傾向が一定回数継続したことを条件として、所定の平均化時間に亘り、当該時分割瞬時値の平均化処理を実行すると共に、こうして得られた時分割瞬時値の平均化処理された値を当該身体の一部の表面水分と相関のある電気量として出力する、請求項１〜７のいずれか１つに記載のＰＯＰ広告装置。
【請求項９】
前記身体の一部の表面水分と相関のある電気量として出力した回数をカウントするカウンタと、所定の操作に応答して、前記カウンタのカウント値を読み出して出力するカウント値出力部と、所定の操作に応じて、前記カウンタのカウント値をリセットするカウント値リセット部とを含む、請求項８に記載のＰＯＰ広告装置。
【請求項１０】
前記電気量計測部における計測動作は、当該ＰＯＰ広告装置に組み込まれた人感センサが当該ＰＯＰ広告装置の付近に人の存在を検知したときに開始される、請求項７に記載のＰＯＰ広告装置。
【請求項１１】
前記情報出力部から出力される情報は、予め決められた複数の水分段階のいずれに該当するかを示す情報を含む、請求項１に記載のＰＯＰ広告装置。
【請求項１２】
前記情報出力部から出力される情報は、各水分段階に応じて推奨すべき商品を示す情報をさらに含む、請求項１１に記載のＰＯＰ広告装置。
【請求項１３】
水分を測定すべき身体の一部が、人差し指の先端腹部であって、前記推奨すべき商品が保湿剤である、請求項１２に記載のＰＯＰ広告装置。
【請求項１４】
予め決められた複数の水分段階のいずれに該当するかを示す情報の出力は、前記操作パネル上に予め各段階に対応する複数の水分段階表示を設けると共に、各水分段階表示のそれぞれにはＬＥＤランプを付設しておいて、該当する水分段階表示に付設されたＬＥＤランプを点灯することにより行われる、請求項１１に記載のＰＯＰ広告装置。
【請求項１５】
前記各水分段階表示のそれぞれには、該当する推奨商品表示も含まれている、請求項１４に記載のＰＯＰ広告装置。
【請求項１６】
前記人感センサが当該ＰＯＰ広告装置の付近に人の存在を検知したときに、前記身体の一部の肌表面の水分を計測することを促す音声を出力する音声出力部をさらに有する請求項１０に記載のＰＯＰ広告装置。
【発明の詳細な説明】
【技術分野】
【０００１】
この発明は、ＰＯＰ広告装置に係り、特に、身体の一部の表面の水分を測定する機能を有するＰＯＰ広告装置に関する。
【背景技術】
【０００２】
コンビニエンスストアや量販店の店頭には商品の販売促進のために様々な種類のＰＯＰ用品が配置されている。近年は、より高い販売促進効果又は広告的効果を得るため、特に、電動式のＰＯＰ広告装置が注目されている（例えば、特許文献１）。
【０００３】
ところで、近年、保湿用のハンドクリームの需要の拡大が見込まれている。その一因として、スマートフォンに代表される電子機器の普及に基づく需要がある。すなわち、スマートフォンに代表される電子機器は、静電容量式のタッチパネルを採用するものが多いところ、当該タッチパネルを操作するためには、その静電気を利用した入力原理から、指先に一定程度の水分を必要とする。ところが、手が乾燥し易い高齢者や乾燥肌の人の場合には、この指先の水分が足りず、従って、適切にタッチパネルを操作することができない場合がある。このような不都合を解消するために、指先に一定の水分を付与するハンドクリームの需要増大が見込まれているのである。
【先行技術文献】
【特許文献】
【０００４】
【特許文献１】特開２０１３−１０９０３７号公報
【発明の概要】
【発明が解決しようとする課題】
【０００５】
しかしながら、従来のＰＯＰ広告装置は、特定の商品に向けて設計されたものは少なく、従って、例えば、ハンドクリームの購買を積極的に促進するようなＰＯＰ広告装置などは皆無であり、十分な広告宣伝がなされているとは言えなかった。
【０００６】
本発明は、上述の課題を解決するためになされたもので、その目的は、保湿用のハンドクリーム等の販売促進を行うことが可能なＰＯＰ広告装置を提供することにある。
【０００７】
この発明のさらに他の目的並びに作用効果については、明細書の以下の記述を参照することにより、当業者によれば容易に理解されるであろう。
【課題を解決するための手段】
【０００８】
上述の技術的課題は、以下の構成により解決される。
【０００９】
すなわち、本発明に係るＰＯＰ広告装置は、水分を測定すべき身体の一部が接触されるべき特定領域が定義された操作パネルを有する機体と、前記身体の一部が前記特定領域に接触しているとき、当該身体の一部の表面水分と相関のある電気量を計測する電気量計測部と、前記電気量計測部により計測された電気量に基づいて前記身体の一部の表面水分を判定する水分判定部と、前記水分判定部による判定結果に対応する情報を出力する情報出力部と、を備える。
【００１０】
このような構成によれば、顧客は、水分を測定すべき身体の一部を、機体の操作パネル上に定義された特定領域に接触させるだけで、当該身体の一部の表面水分に関する判定結果に対応する情報を取得することができる。
【００１１】
好ましい実施の態様においては、前記操作パネルの前記特定領域表面には、接触されるべき身体の一部を模した接触ガイド図形が描かれていてもよい。
【００１２】
このような構成によれば、顧客は、接触ガイド図形にしたがうだけで、接触されるべき身体の一部を特定領域の表面に正しく接触させることができる。
【００１３】
好ましい実施の態様においては、前記電気量計測部は、前記接触ガイド図形の領域内に配置された電極板を介して、前記電気量を計測するものであってもよい。
【００１４】
このような構成によれば、接触ガイド図形と電極板との位置関係やサイズを適切に設定することで、電気料計測精度を向上させることができる。
【００１５】
好ましい実施の態様においては、前記操作パネルの前記特定領域は誘電性材料のシートからなり、かつ前記電極板は前記シートの裏面側に配置されていてもよい。
【００１６】
このような構成によれば、身体の一部と電極板とをコンデンサ結合して交流的に導通することが可能となると共に、人体の一部が電極板に直接接触することを回避することにより、人体の油脂等により電極板表面が被覆されて、導通障害が生ずることを防止することもできる。
【００１７】
好ましい実施の態様においては、前記接触ガイド図形のサイズは、当該図形に接触されるべき身体の一部のサイズとほぼ同程度に設定されており、かつ前記電極板は前記接触ガイド図形のほぼ中央に位置すると共に、そのサイズは、前記接触ガイド図形のサイズよりも十分に小さく設定されていてもよい。
【００１８】
このような構成によれば、身体の一部を特定領域に押し当てる際の押し当て強さの大小に拘わらず、対向極板面積の変動を抑制して、結合コンデンサの容量変動を回避することにより、安定な計測が可能となる。
【００１９】
好ましい実施の態様においては、電気量計測部は、当該身体の一部の表面水分と相関のある静電容量を計測するものであってもよい。
【００２０】
このような構成によれば、計測媒体として高周波電流の使用が可能となり、電気量計測に関する計測回路の設計自由度が向上する。
【００２１】
好ましい実施の態様においては、前記静電容量は、前記電極板の対地静電容量であってもよい。
【００２２】
このような構成によれば、例えば、電極板の対地静電容量が周波数可変要素となるような発振回路と、この発振回路の発振パルス列又はその分周パルス列に同期して所定コンデンサを充放電する充放電回路と、この充放電回路の充電電圧を所定のタイミングでサンプルホールドするサンプルホールド回路とを備えることにより、対地静電容量相当値の電圧を出力する電気料計測部を構成することができる。
【００２３】
好ましい実施の態様においては、前記電気量計測部は、計測電気量の時分割瞬時値が所定しきい値を上回る又は下回る傾向が一定回数継続したことを条件として、所定の平均化時間に亘り、当該時分割瞬時値の平均化処理を実行すると共に、こうして得られた時分割瞬時値の平均化処理された値を当該身体の一部の表面水分と相関のある電気量として出力する、ようにしてもよい。
【００２４】
このような構成によれば、別途、特別な計測スタート操作子を設けることなく、単に、身体の一部を特定領域に接触させるだけで、電気量計測動作を自動的に開始させると共に、ノイズの影響を回避して安定な電気量を制せ出力することができる。
【００２５】
好ましい実施の態様においては、前記身体の一部の表面水分と相関のある電気量として出力した回数をカウントするカウンタと、所定の操作に応答して、前記カウンタのカウント値を読み出して出力するカウント値出力部と、所定の操作に応じて、前記カウンタのカウント値をリセットするカウント値リセット部とを含む、ものであってもよい。
【００２６】
このような構成によれば、顧客の使用回数をカウントすると共に、このカウント値を必要に応じて読み出して出力させたり、カウント値をリセットすることができる。
【００２７】
好ましい実施の態様においては、前記電気量計測部における計測動作は、当該ＰＯＰ広告装置に組み込まれた人感センサが当該ＰＯＰ広告装置の付近に人の存在を検知したときに開始される、ものであってもよい。
【００２８】
このような構成によれば、計測動作が無駄に実行されて、電池が消耗することを未然に防止することができる。
【００２９】
好ましい実施の態様においては、前記情報出力部から出力される情報は、予め決められた複数の水分段階のいずれに該当するかを示す情報を含む、ものであってもよい。
【００３０】
このような構成によれば、顧客は、水分を測定すべき身体の一部の水分状態を複数の水分段階の中で、客観的に把握することができる。
【００３１】
好ましい実施の態様においては、前記情報出力部から出力される情報は、各水分段階に応じて推奨すべき商品を示す情報をさらに含む、ものであってもよい。
【００３２】
このような構成によれば、身体の一部の水分状態に応じた潤い商品を容易に理解することができる。
【００３３】
好ましい実施の態様においては、水分を測定すべき身体の一部が、人差し指の先端腹部であって、前記推奨すべき商品が保湿剤であってもよい。
【００３４】
このような構成によれば、スマートフォンの操作等に必要な人差し指表面の水分状態を認識すると共に、最適な保湿剤を理解することができる。
【００３５】
好ましい実施の態様においては、予め決められた複数の水分段階のいずれに該当するかを示す情報の出力は、前記操作パネル上に予め各段階に対応する複数の水分段階表示を設けると共に、各水分段階表示のそれぞれにはＬＥＤランプを付設しておいて、該当する水分段階表示に付設されたＬＥＤランプを点灯することにより行われる、ものであってもよい。
【００３６】
このような構成によれば、例えば、紙製の操作パネル上に印刷技術で複数の水分段階表示を設けると共に、それらにＬＥＤランプを敷設すると言った極めて簡単かつ廉価な構成により、必要な情報を顧客に提供することが可能となる。
【００３７】
好ましい実施の態様においては、前記各水分段階表示のそれぞれには、該当する推奨商品表示も含まれている、ものであってもよい。
【００３８】
このような構成によれば、例えば、紙製の操作パネル上に印刷技術で複数の水分段階表示及び推奨商品表示を設けると共に、それらにＬＥＤランプを敷設すると言った極めて簡単かつ廉価な構成により、必要な情報を顧客に提供することが可能となる。
【００３９】
好ましい実施の態様においては、前記人感センサが当該ＰＯＰ広告装置の付近に人の存在を検知したときに、前記身体の一部の肌表面の水分を計測することを促す音声を出力する音声出力部をさらに有するものであってもよい。
【００４０】
このような構成によれば、この種の水分計測機能付きのＰＯＰ広告装置における顧客吸引力を増大することができる。
【発明の効果】
【００４１】
本発明によれば、保湿剤等の購買を促進することが可能なＰＯＰ広告装置を提供することができる。
【図面の簡単な説明】
【００４２】
【図１】図１は、肌水分判定装置の外観斜視図である。
【図２】図２は、肌水分判定装置の背面図である。
【図３】図３は、肌水分判定装置の電気的構成について示す概略構成図である。
【図４】図４は、指先水分測定用の接触子を構成する極板の配置について示す説明図である。
【図５】図５は、指先水分測定用の接触子を構成する極板の大きさに関する説明図である。
【図６】図６は、周波数変化に着目した静電容量の計測手法の説明図である。
【図７】図７は、人感センサを用いた注意喚起処理のフローチャートである。
【図８】図８は、肌水分判定処理のゼネラルフローチャートである。
【図９】図９は、センシング処理の詳細フローチャートである。
【図１０】図１０は、肌水分提示処理のである。
【図１１】図１１は、肌水分の判定基準である。
【図１２】図１２は、カウント関連処理に関するフローチャートである。
【発明を実施するための形態】
【００４３】
以下に、本発明の好適な実施の一形態を、添付の図面を参照しながら詳細に説明する。
【００４４】
＜１．第１の実施形態＞
まず、添付の図１〜図１２を参照しつつ、本発明の第１の実施形態について説明する。
【００４５】
＜１．１  肌水分判定装置の構成＞
図１〜図６を参照しつつ、本実施形態に係るＰＯＰ広告装置、すなわち、肌水分判定装置１００の構成について説明する。
【００４６】
図１は、肌水分判定装置１００の外観斜視図である。同図から明らかな通り、この例にあっては、肌水分判定装置１００は、紙製であって断面台形状の箱体３０の背面に、段ボールシートから成る長方形の対面ボード１０を垂直に接着することにより構成されている。
【００４７】
箱体３０の天面左部には、指を模した図形が描かれた指配置部３１が設けられており、一方、箱体３０の天面右部には、肌水分提示部３２が設けられている。肌水分提示部３２は、さらに、提示する肌の水分（特に、乾燥度）に応じて、第１〜第３の肌水分提示領域３２１〜３２３へと分かれており、各肌水分提示領域には、それぞれＬＥＤ発光部３２１ａ〜３２３ａと、文字表示領域３２１ｂ〜３２３ｂとが設けられている。
【００４８】
第１の肌水分提示領域３２１に設けられた第１の文字表示領域３２１ｂには「かさかさ  指先がかなり乾燥しています。ビタミンＥ配合製品でケアしましょう。」という文言が印字されている。また、第２の肌水分提示領域３２２に設けられた第２の文字表示領域３２２ｂには「かさかさ気味  指先が少し乾燥しています。高湿潤タイプの製品で補いましょう。」という文言が印字されている。さらに、第３の肌水分提示領域３２３に設けられた第３の文字表示領域３２３ｂには「しっとり  指先はうるおいを保っています。保湿製品で潤いをキープしましょう。」という文言が印字されている。
【００４９】
すなわち、肌水分提示部３２は、後述する指先の肌水分の計測結果に応じて、どのような保湿製品を使用するべきかを提示することとなる。なお、本実施形態においては、直接に特定の商品を広告するような表示とはしていないものの、例えば「かさかさ  商品Ｘがおすすめです。」のように直接に商品を広告するような表示としてもよい。
【００５０】
対面ボード１０の表面上部には「あなたの手のうるおいをチェック」の文言が配置され、左下部には枠に囲われて「タッチすることで、うるおい指数とおすすめの製品がわかります。」の文言が配置されており、右下部には、肌水分判定装置１００の使用方法、すなわち、指を指配置部３１へと載置することを促すかのような図が配置されている。
【００５１】
また、対面ボード１０の左部には、人感センサを構成する受光素子（例えば、ＣｄＳ）１３を配置するための受光孔１１及び背面に配置されるスピーカ１４からの音を放つ放音孔１２とが配置されている。
【００５２】
図２は、肌水分判定装置１００の背面図（背面ボード１０の裏面）である。同図から明らかな通り、背面ボード１０の裏面右上部には、人感センサを構成する受光素子１３及びスピーカ１４が、前記受光孔１１及び放音孔１２の位置と整合するようにそれぞれ配置されている。また、背面ボード１０の裏面右下部には、スライド式の電源スイッチ１６及び音量調節用の音量調節つまみ１５が設けられている。さらに、背面ボード１０の裏面左下部には、カウント値操作用のタッチスイッチを構成する接触子１７が設けられている。この接触子１７で構成されるタッチスイッチは、後述するように、肌水分判定装置１００を使用した人数を音声出力させたり、或いはその人数をリセットしたりすることに利用される。
【００５３】
図３は、肌水分判定装置１００の電気的構成について示す概略構成図である。同図から明らかな通り、本実施形態に係る肌水分判定装置１００は、装置全体を統括制御する所謂ワンチップ型のマイコン５０を中心として構成され、その内部には、当業者にはよく知られているように、図示しないマイクロプロセッサと、このマイクロプロセッサの動作を規定するシステムプログラムを格納したＲＯＭと、ワーキングメモリ等として使用されるＲＡＭの他、本実施形態に特に関連して、いくつかの専用回路が組み込まれている。
【００５４】
これらの専用回路としては、例えば、指先水分測定用の接触子３１ａの対地静電容量に相当する物理量（例えば、電圧、電流、周波数、等々）を生成出力する静電容量計測用回路５２と、人感センサを構成する光電素子（例えば、ＣｄＳ等）の出力を外部から取り込むためのＡ／Ｄ変換部５１と、後述する肌の水分を表示するための３個のＬＥＤ３２１ａ〜３２３ａを駆動するための図示しないＬＥＤ駆動部、音声モジュール５３を駆動するための図示しないシリアル出力ポート、等々を挙げることができる。その他、音声モジュール５３から出力されるオーディオ信号は、音量調節ボリューム１５を介してスピーカ１４へと供給される。なお、図３は概略構成図であり、同図に含まれる構成の他にも回路の駆動に用いられる電源や電源回路等が含まれることは言うまでもない。
【００５５】
より具体的には、静電容量計測用回路５２としては、例えば、指先水分測定用の接触子３１ａの対地静電容量が周波数決定要素として組み込まれた発振回路と、この発振回路から得られる発振パルス列又はその分周パルス列に同期して定電流による充放電を繰り返すように仕組まれたコンデンサ（充放電用コンデンサ）を有する充放電回路と、この充放電回路から得られる鋸歯状波ないし三角波（図６参照）を所定のタイミングでサンプルホールドすることにより、指先水分測定用の接触子３１ａの対地静電容量に相当する電圧を生成するサンプルホールド回路を含んで構成することができ、このサンプルホールド回路の出力電圧がマイコン５０により読み込み可能とされる。
【００５６】
後述するように、指先水分測定用の接触子３１ａの対地静電容量には、箱体３０を構成する紙層を挟んで接触子３１ａと指先とが対向することで形成されるコンデンサ（指先コンデンサ）の静電容量（第１容量）と、湿潤度に応じた導通特性を有する指先から人体を経由して大地に至る静電容量（国際的には、１００ｐＦと定義）（第２容量）と、接触子３１ａから人体を経由せずに対地に至る寄生静電容量（第３容量）、等々が含まれているので、指先水分測定用の接触子３１ａの対地静電容量の変化を観察することで、指先の水分（還元すれば、乾燥度ないし湿潤度）を間接的に計測することができるのである。
【００５７】
図４は、箱体３０の天面左部に配置された指配置部３１の裏面に設けられた指先水分測定用の接触子３１ａの配置についての説明図である。本実施形態においては、指先水分測定用の接触子３１ａは、１０ミリメートル四方の正方形の金属薄板（電極板）であり、図において破線で示される通り、指の概略図形を描くことにより配置領域を教示するガイド図形３１ｂの背面略中央の場所に設けられている。そのため、指先は紙層を介して接触子３１ａを構成する金属薄板と間接的に接触（すなわち、近接）することとなる。このため、接触子３１ａを構成する金属薄板の表面に指先の脂等が付着して導通障害を生ずることが回避される。
【００５８】
このような構成によれば、肌水分判定装置１００の利用者は、ガイド図形３１ｂにより一目で指の配置箇所を認識することができると共に、後に詳述するように、その裏面に配置された指先水分測定用の接触子３１ａを介して指表面の肌水分（すなわち、湿潤度合ないし乾燥度合）を計測することができる。
【００５９】
ここで、図４において、指の予定配置領域となるガイド図形３１ｂの面積に比べて指先水分測定用の接触子（金属薄板）３１ａの極板面積が十分に小さい点に着目されたい。第１の極板に相当する接触子（金属薄板）３１ａと第２の極板に相当する指先表面とが誘電体である紙層を介して対向することで、一種の平行平板コンデンサ（指先コンデンサ）が形成される。このとき、本来、互いに対向する極板面積が大きい方がノイズの影響等も受けにくく検出精度も安定する筈であるが、この例にあっては、指の予定配置領域となるガイド図形３１ｂの面積に比べて指先水分測定用の接触子（金属薄板）３１ａの極板面積が十分に小さく設定されている。
【００６０】
図５（ａ）は、接触子（金属薄板）３１ａの極板面積がガイド図形３１ｂの面積と比較して十分に小さいとは言えない場合を表し、図５（ｂ）は、接触子（金属薄板）３１ａの極板面積がガイド図形３１ｂの面積と比較して十分に小さい場合を表している。
【００６１】
ここで、静電容量の計測原理について説明する。
【００６２】
【数１】
2019012203.tif 000003
上式は、静電容量Ｃを算出する一般式であり、εｒはカバーの誘電率、ε０は空間の誘電率、Ａは極板と指とが重なる面積、ｄは極板間距離をそれぞれ表している。同式から明らかな通り、計測対象となる静電容量Ｃは、面積Ａと比例関係にあり、指の配置態様により接触子（金属薄板）３１ａの対地静電容量が大小することとなる。
【００６３】
例えば、図５（ａ）の構成において、肌水分判定装置１００の利用者が、ガイド図形３１ｂ上に軽く指を載置した場合（第１の接触状態）と、ガイド図形３１ｂ上に指をしっかりと押し当てた場合（第２の接触状態）とを比較すると、極板上における指の占有面積は大きく異なることとなり、従って、結局、極板面積（互いに対向する極板面積）が変更されたのと同様の結果となるから、対地静電容量の検出精度は安定しないこととなる。
【００６４】
一方、図５（ｂ）の構成において、肌水分判定装置１００の利用者が、ガイド図形３１ｂ上に軽く指を載置した場合（第１の接触状態）と、ガイド図形３１ｂ上に指をしっかりと押し当てた場合（第２の接触状態）とを比較すると、いずれの場合であっても指が極板全体を被覆するような態様となるから、極板上における指の占有面積は変わらず、従って、対地静電容量の検出精度は、指の載置の態様によらず安定することとなる。
【００６５】
すなわち、このような構成によれば、ガイド図形３１ｂ上に置かれた身体の一部（指先）は、常に接触子（金属薄板）３１ｂを構成する金属薄板の全体を被覆することとなるので、安定した対地静電容量の計測を実現することができる。
【００６６】
次に、図６を参照しつつ、指先水分測定用の接触子（金属薄板）３１ｂを用いた対地静電容量の計測原理について説明する。図６は、定電流充放電回路における極板の充電電圧Ｖを縦軸に、時間を横軸としている。接触子（金属薄板）３１ｂ上へと指が載置されていない場合、同図の実線で示されるようにコンデンサは一定の周期にて直線的に充放電を繰り返している。接触子（金属薄板）３１ｂ上へと指が載置されると、当該充放電周期に変化が生じ、具体的には、同図において破線で示される通り、充放電周期が大きくなる。このとき、所定の時点における充電電圧Ｖ、例えば、非載置状態における最大充電電圧時点の充電電圧Ｖを計測し、最大充電電圧を１００％とした時の割合（Ｘ％）から、どの程度周期が大きくなったかを計測することができる。すなわち、この割合に基づいて、接触子（金属薄板）３１ｂの対地静電容量を実質的に計測することができる。
【００６７】
＜１．２  肌水分判定装置の動作＞
次に、図７〜図１２を参照しつつ、本実施形態に係る肌水分判定装置１００の構成について説明する。
【００６８】
＜１．２．１  人感センサを用いた注意喚起処理＞
図７は、人感センサを構成する受光素子１３を用いた注意喚起処理のフローチャートについて示している。同図から明らかな通り、電源スイッチ１６をＯＮとする等して処理が開始すると、ＣｄＳ等の受光素子１３で構成される人感センサの出力を検出する処理が行われる（Ｓ１０）。この出力検出処理（Ｓ１０）は、人感センサを構成する受光素子１３の出力に所定の変化、例えば、所定量以上の光量変化が検出されるまで繰り返し行われる（Ｓ１１ＮＯ）。人感センサを構成する受光素子１３において所定の変化が検出されると（Ｓ１１ＹＥＳ）、現在注意喚起処理が実行中であることを表す注意喚起処理フラグがＯＮとなる（Ｓ１２）。その後、所定の音声として「指先の潤いを測りませんか」との音声が出力される。その後、例えば１０秒間の待機処理がなされ、検出処理が暫くの間無効化される（Ｓ１４）。待機処理（Ｓ１４）の後、注意喚起処理フラグをＯＦＦとする処理が行われ（Ｓ１５）、再び、人感センサを構成する受光素子１３の出力検出処理が開始される（Ｓ１０）。
【００６９】
このような構成によれば、商品棚等に配置された肌水分判定装置１００の近傍を通過する消費者を検出して、所定の音声を通じて肌水分判定装置１００へと注意喚起を行うことができる。
【００７０】
＜１．２．２  肌水分計測処理＞
次に、指配置部３１上に指が配置された場合に肌水分を計測する処理について説明する。図８は、肌水分判定処理のゼネラルフローチャートである。同図から明らかな通り、電源スイッチ１６をＯＮとする等して処理が開始すると、指先水分測定用の接触子（金属薄板）３１ｂを通じて検出された対地静電容量の変化により指配置部３１へと指が配置されたことを検出する処理が行われる（Ｓ３０）。この処理は指配置部３１へと指が配置されるまで行われ（Ｓ３０ＮＯ）、指が指配置部３１へと配置されたことが検出されると（Ｓ３０ＹＥＳ）、肌水分判定処理が実行中であることを示す肌水分判定処理フラグがＯＮとなる（Ｓ３１）。そして、後述の指先の水分のセンシング処理（Ｓ３２）が行われた後、当該センシングされた水分を利用者へと提示する処理が行われる（Ｓ３３）。最後に、肌水分判定処理が実行中であることを示す肌水分判定処理フラグをＯＦＦとし（Ｓ３４）、再度、指の検出処理（Ｓ３０）へと戻る。
【００７１】
図９は、センシング処理（Ｓ３２）の詳細について示すフローチャートである。センシング処理（Ｓ３２）が開始すると、５０［ｍｓｅｃ］の待機処理の後（Ｓ３２１）、上述の原理にて所定の充放電回路を構成するコンデンサ（充放電用コンデンサ）の充電電圧（Ｘ％）の計測処理が行われ（Ｓ３２２）、計測した充電電圧は所定の（バッファ）メモリ領域へと加算される（Ｓ３２３）。この一連の処理（Ｓ３２１〜Ｓ３２３）が所定の平均化時間相当の回数（本実施形態においては、３２回）繰り返される（すなわち、この例では１．６秒間計測する）ことにより（Ｓ３２４ＮＯ）、所定のメモリ領域に３２回、充電電圧の計測結果が加算されることとなる。その後、所定のメモリ領域に３２個の充電電圧の計測結果が加算されると（Ｓ３２４ＹＥＳ）、所定のメモリ領域に記憶された加算結果を３２で割ることにより平均充電電圧を算出する処理が行われる（Ｓ３２５）。算出された平均充電電圧は記憶部へと保存される（Ｓ３２６）。最後に、計測人数を１名分加算（カウントアップ）する処理（Ｓ３２７）を行って、センシング処理（Ｓ３２）は終了する。
【００７２】
このような構成によれば、複数回の計測結果を平均するので、より安定して指先水分測定用の接触子（金属薄板）３１ｂの対地静電容量に相当する充電電圧を生成することができる。なお、本実施形態においては、３２回の計測処理を行う構成としたが、この回数に限定されない。従って、それよりも少ない回数又は多い回数、計測処理を行いその平均を取ってもよいことは勿論である。
【００７３】
次に、図１０を参照しつつ、センシングされた水分を利用者へと提示する処理について説明する。図１０は、肌水分提示処理の詳細フローチャートである。処理が開始すると、平均充電電圧を第１の閾値と比較する処理が行われる（Ｓ３３１）。この比較処理により平均充電電圧が第１の閾値より大きいと判定された場合（Ｓ３３１ＹＥＳ）、第１の提示処理（Ｓ３３２）、すなわち、肌がかさかさの乾燥状態であることを示す第１のＬＥＤ３２１ａを点灯させる処理が行われる。
【００７４】
一方、平均充電電圧が第１の閾値以下である場合（Ｓ３３１ＮＯ）、続いて、第２の閾値との大小関係の比較処理が行われる（Ｓ３３３）。その結果、平均充電電圧が（第１の閾値よりは小さく）第２の閾値より大きいと判定された場合（ＳＳ３３３ＹＥＳ）、第２の提示処理（Ｓ３３４）、すなわち、肌が少し乾燥状態にあることを示す第２のＬＥＤ３２２ａを点灯する処理が行われる。
【００７５】
さらに、平均充電電圧が第２の閾値より小さい場合（Ｓ３３３ＮＯ）、第３の提示処理（Ｓ３３５）、すなわち、肌が潤い状態にあることを示す第３のＬＥＤ３２３ａを点灯する処理が行われる。なお、第１〜第３の提示処理（Ｓ３３２、Ｓ３３４、Ｓ３３５）のいずれが行われた場合でも、その後、処理は終了する。
【００７６】
ここで、図１１を参照しつつ、肌水分の判定基準、すなわち、第１及び第２の閾値の決定過程について説明する。図１１は、肌水分の判定基準を設定するために行われた実験結果をまとめた表である。同図の左列は、どのような条件で指を指配置部３１へと配置したのかを示し、同図の右列は、その時の所定充放電回路のコンデンサの充電電圧（上述のＸ％）を表している。
【００７７】
同図から明らかな通り、表において上段程、すなわち、表面に水分の少ないと思われる条件で指配置部３１への接触が行われた場合程、コンデンサの充電電圧（Ｘ％）の値は大きくなり、一方、表の下段程、すなわち、表面に水分の多い或いは濡れた条件で指配置部３１へと触れる程、コンデンサの充電電圧（Ｘ％）の値が小さくなることが分かる。本実施形態においては、本実験結果を元に、コンデンサの充電電圧（Ｘ％）の値が９３％以上（第１の閾値）の場合を最も乾燥した第１の状態（「カサカサ」状態）、コンデンサの充電電圧（Ｘ％）の値が９１％以上（第２の閾値）かつ９３％より小の場合を多少乾燥した第２の状態（「少しカサカサ」状態）、コンデンサの充電電圧（Ｘ％）の値が９１％より小の場合を潤っている第３の状態（「潤い」状態）とした。すなわち、本実施形態においては、第１の閾値を９３％、第２の閾値を９１％とした。なお、以上の結果は、紙製の箱体の場合である。箱体３０の材質が他の誘電体（例えば、プラスチック）の場合には、結果の傾向は同様であるが、実際の数値は異なるであろう。
【００７８】
＜１．２．３  カウント関連処理＞
次に、図１２を参照しつつ、カウント値操作用タッチスイッチ１７を操作することにより行われるカウント関連処理に関するフローチャートである。同図から明らかな通り、電源スイッチ１６をＯＮとする等して処理が開始すると、カウント値操作用の接触子１７ａを介して取得された対地静電容量相当値により指の接触状態を検出する処理が繰り返し行われる（Ｓ７０ＮＯ）。その後、指が接触状態であることが検出された場合（Ｓ７０ＹＥＳ）、ＯＮ状態のフラグが存在するか否か、具体的には、注意喚起処理フラグ及び肌水分判定処理フラグがＯＮとなっているか否かを確認する（Ｓ７１）。その結果、ＯＮ状態のフラグが存在する場合には（Ｓ７１ＹＥＳ）、指の接触状態の検出処理が再び行われる（Ｓ７０）。一方、ＯＮ状態のフラグが存在しない場合には（Ｓ７１ＮＯ）、３秒間以上指の接触状態が継続しているか否かが判定される（Ｓ７２）。その結果、接触状態が３秒間以上継続していない場合には（Ｓ７２ＮＯ）、指の継続状態の検出処理へと戻る（Ｓ７０）。一方、接触状態が３秒間以上継続している場合には（Ｓ７２ＹＥＳ）、所定音、すなわち「チャリーン」というチャイム音が出力される（Ｓ７３）。その後、センシング処理（Ｓ３２）時に加算された計測人数の合計数を読み出して音声で読み上げる処理が行われる（Ｓ７４）。
【００７９】
このような構成によれば、計測回数を音声により容易に確認することができるので、どの程度肌水分判定装置１００が利用されているのかといったデータを収集できることは勿論、どのように配置すると効果的であるかといった検証なども行うことができるようになる。
【００８０】
なお、その後もカウント用タッチセンサ部１７を長押しし続けることで、「クリアします」との音声と共に、記憶部へと記憶されている計測人数を０人へとリセットするような構成としてもよい。このような構成によれば、簡単な操作によりリセット操作することができ、そのため、例えば、肌水分判定装置の使用頻度等を検証することが容易となる。
【００８１】
＜２．変形例＞
上述の実施形態においては、肌水分の提示はＬＥＤを用いて行われたが、本発明はこのような例に限定されない。従って、例えば、音声や画像、或いは機械的機構等により肌水分に関する提示を行ってもよいし、又は、通信部などをさらに設けてスマートフォンといった外部装置へとデータを送信してもよい。
【００８２】
また、上述の実施形態においては、肌の水分（乾燥状態）を利用者へと提示していたものの、本発明はこのような例に限定されない。従って、例えば、肌年齢など肌の水分と関係する他の情報を提示してもよい。
【産業上の利用可能性】
【００８３】
本発明によれば、肌水分判定装置を提供することができ、当該装置は、例えば、ＰＯＰ広告の分野において利用可能である。
【符号の説明】
【００８４】
１０  対面ボード
１１  受光孔
１２  放音孔
１３  受光素子
１４  スピーカ
１５  音量調整摘み
１６  電源スイッチ
１７  タッチスイッチを構成する接触子
３０  箱体
３１  指配置部
３１ａ  指先水分測定用の接触子
３１ｂ  ガイド図形
３２  肌水分提示部
５０  マイコン
５１  Ａ／Ｄ変換部
５２  静電容量計測用回路
３２１ａ〜３２３ａ  ＬＥＤ発光部
３２１ｂ〜３２３ｂ  文字表示領域  
１００  肌水分判定装置（ＰＯＰ広告装置）
【図１】
2019012203.tif 000004
【図２】
2019012203.tif 000005
【図３】
2019012203.tif 000006
【図４】
2019012203.tif 000007
【図５】
2019012203.tif 000008
【図６】
2019012203.tif 000009
【図７】
2019012203.tif 000010
【図８】
2019012203.tif 000011
【図９】
2019012203.tif 000012
【図１０】
2019012203.tif 000013
【図１１】
2019012203.tif 000014
【図１２】
2019012203.tif 000015